(57)【要約】【課題】  ユニットバスルームの壁パネルに照明装置を取り付けるに当たって、この壁パネルに照明装置の取り付け具を取り付けなくても設置することができて作業工数を低減できる照明装置を提供する。【解決手段】  壁パネル５の上端に設けられた壁パネル連結部５１に天井パネル６の端部に設けられた天井パネル連結部６１を連結したユニットバスルームに取り付けられる照明器具１である。この照明器具１の主体を構成する照明器具本体２の一部に、前記壁パネル連結部５１と天井パネル連結部６１と共に重ね合わせて連結することで壁パネル５と天井パネル６と照明器具本体２とを一体的に固着可能な照明固定部２４を設けた。【選択図】        図１
2010198882.tif 000002
【特許請求の範囲】
【請求項１】
壁パネルの上端に設けられた壁パネル連結部に天井パネルの端部に設けられた天井パネル連結部を連結したユニットバスルームに取り付けられる照明器具であって、該照明器具の主体を構成する照明器具本体の一部に、前記壁パネル連結部と天井パネル連結部と共に重ね合わせて連結することで壁パネルと天井パネルと照明器具本体とを一体的に固着可能な照明固定部を設けて成ることを特徴とする照明器具。
【請求項２】
前記照明固定部は、前記壁パネルと天井パネルとの成すコーナー部に設けられる凹所に挿入される突出部から成る請求項１に記載の照明器具。
【請求項３】
前記照明固定部及び照明器具本体は、複数の壁パネルを並設したユニットバスルームにおいて、ユニットバスルームにおける対向する壁パネル間の略全長に亘り、且つ壁パネルの並設方向に複数の壁パネルに跨るように形成されて成る請求項１又は請求項２のいずれかに記載の照明器具。
【発明の詳細な説明】
【技術分野】
【０００１】
本発明は、ユニットバスルームの照明器具に関するものである。
【背景技術】
【０００２】
従来から、浴室に取り付けられる照明器具として、例えば特許文献１のものが知られている。この特許文献１により示されるものは、浴室の壁を構成する壁パネルの上部に照明装置を取り付けたものとなっている。
【先行技術文献】
【特許文献】
【０００３】
【特許文献１】特開平０５−１７９８２２号公報
【発明の概要】
【発明が解決しようとする課題】
【０００４】
ところで、上記特許文献１により示される照明器具を配設するに当たっては、壁パネルに照明器具を取り付けるための取付孔を穿設し、その取付孔を利用して取り付け具を取り付けた上で、この取り付け具に照明器具を固設する必要がある。そのため、この照明器具を取り付けるに当たっては手間の掛かるものとなっていた。
【０００５】
本発明は、上記従来の問題に鑑みてなされたものであり、その目的とするところは、ユニットバスルームの壁パネルに照明装置を取り付けるに当たって、この壁パネルに照明装置の取り付け具を取り付けなくても設置することができて作業工数を低減できる照明装置を提供することにある。
【課題を解決するための手段】
【０００６】
上記課題を解決するために請求項１に係る発明にあっては、以下の構成を備えている。
【０００７】
壁パネル５の上端に設けられた壁パネル連結部５１に天井パネル６の端部に設けられた天井パネル連結部６１を連結したユニットバスルームに取り付けられる照明器具１である。この照明器具１の主体を構成する照明器具本体２の一部に、前記壁パネル連結部５１と天井パネル連結部６１と共に重ね合わせて連結することで壁パネル５と天井パネル６と照明器具本体２とを一体的に固着可能な照明固定部２４を設けた。
【０００８】
このように構成したことで、ユニットバスルームにおける壁パネル５と天井パネル６との連結部位を利用して、ユニットバスルームに照明器具１を取り付けることができ、すなわち、壁パネル５に照明器具１の取り付け具を取り付けなくても照明器具１を設置することができるので、作業工数を低減することができる。さらに、照明器具を壁パネル連結部５１と天井パネル連結部６１と共に重ね合わせて連結することができるので、ユニットバスルームに対してより強固に固着することができる。
【０００９】
また、請求項２に係る発明にあっては、請求項１に係る発明において、前記照明固定部２４は、前記壁パネル５と天井パネル６との成すコーナー部に設けられる凹所９に挿入される突出部２５から成るように構成した。
【００１０】
このように構成したことで、照明器具１を取り付けるに当たって、照明器具１の突出部２５から成る照明固定部２４を、コーナー部に設けられる凹所９内に挿入していったん預けた上で、取着することができるため、作業し易いものとなる。
【００１１】
また、請求項３に係る発明にあっては、請求項１又は請求項２のいずれかに係る発明において、前記照明固定部２４及び照明器具本体２は、複数の壁パネル５を並設したユニットバスルームにおいて、ユニットバスルームにおける対向する壁パネル５間の略全長に亘り、且つ壁パネル５の並設方向に複数の壁パネル５に跨るように形成した。
【００１２】
このように構成したことで、並設される複数の壁パネル５に跨って本発明の照明器具１を固着することができるので、隣接する壁パネル５の各パネル相互の固定を本照明器具１を介して行なうことができる。また、ユニットバスルームにおける対向する壁パネル５間の略全長に亘り照明器具１を配設することができるので、より一体性のある良好な外観を呈することができ、ユニットバスルーム内の意匠性を向上させることができる。
【発明の効果】
【００１３】
本発明によれば、照明器具をユニットバスルームに設置するに当たって、壁パネルに照明器具の取り付け具を取り付けなくても照明器具を設置することができるので、作業工数を低減することができる。また、壁パネルと天井パネルの連結部位のあるコーナー部に本発明の照明器具を取り付けることができるので、本発明の照明器具をユニットバスルームに対して一体的にすることができて、一体感のある良好な外観を呈することができる。
【図面の簡単な説明】
【００１４】
【図１】本発明の一実施形態の分解斜視図の概略図である。
【図２】同上の側断面図である。
【図３】同上のユニットバスルームに設置した状態の全体図である。
【図４】同上の他の実施形態の側断面図である。
【発明を実施するための形態】
【００１５】
以下、本発明について添付図面に基づいて説明する。
【００１６】
本発明の一実施形態の照明器具１は、ユニットバスルームに取り付けられる。本実施形態のユニットバスルームは、図３に示すように、浴槽を載置する浴槽床パン７と浴槽床パン７に並設される洗い場床パン７ａとで構成される床パン７の周囲に、壁パネル５及びドアを有する出入り口枠を立設し、壁パネル５及び出入り口枠で囲まれた部分の上端部に天井パネル６を載設して構成してある。
【００１７】
壁パネル５は正面視略矩形状に形成されており、壁パネル５の上端には壁パネル連結部５１が設けられている。この壁パネル連結部５１は、図１に示すように、壁パネル５内面の上端から後方に向けて連設されて且つ幅方向の略全長に亘って形成された横片５１１と、この横片５１１の奥部から上方に向けて連設された壁パネル連結片５１２とを備えている。この壁パネル連結片５１２には複数箇所に壁パネル連結孔５１３が穿設してある。
【００１８】
ユニットバスルームの各壁面は、このような壁パネル５を左右に複数並設することで構成されている。
【００１９】
天井パネル６は、下面視矩形状に形成されており、ユニットバスルームの壁パネル５と隣接する側の側端には、その隣接する側の側端の略全長に亘って天井パネル連結部６１が設けられている。この天井パネル連結部６１は、天井パネル連結片６１１を天井パネル６本体の側端から下方に向けて突設することで構成してあり、隣接する壁パネル５の壁パネル連結片５１２の壁パネル連結孔５１３に対応した位置に天井パネル連結孔６１２が穿設されている。
【００２０】
本実施形態のユニットバスルームには、図３に示すように、ユニットバスルームの壁面を構成する各壁パネル５と略同じ幅寸法にて形成された各天井パネル６が、壁パネル５と同じ様に左右に並んで設置してある。つまり、隣接する壁パネル５の端部同士が当接又は近接対向した連結部位の上部に、隣接する天井パネル６の端部同士の当接又は近接対向した連結部位が位置するように構成されている。
【００２１】
このようなユニットバスルームに取り付けられる本実施形態の照明器具１は、図１及び図２に示すように、照明器具１の主体を構成する照明器具本体２と、照明器具本体２の内部に収容された蛍光灯から成る発光部４とを備えている。
【００２２】
照明器具本体２は、図１及び図２に示すように、内部に備えた発光部４からの光を外部に照射する照射開口２６を備えた前面部２１と、天井パネル６に当接又は少なくとも対向する上面部２３と、壁パネル５に当接又は少なくとも対向する背面部２２とを備えており、この背面部２２の上部から後方に向けて突出し背面部２２の一部を成す突出部２５が形成されている。本実施形態においては、この突出部２５がユニットバスルームに取り付けられる照明固定部２４となっている。本実施形態の照明器具本体２は、前面部２１と上面部２３と背面部２２とを連設して断面略三角形状を形成し、これらが照明器具１の外郭を構成している。図３に示すように、突出部２５を含む照明器具本体２は、ユニットバスルームの対向する壁パネル５間の略全長に亘る長さで形成されている。
【００２３】
この突出部２５は、この突出部２５の下面を突出横片２５１とすると共に、この突出横片２５１の突出先端（つまり後端）から上方に向けて連設した面を突出縦片２５２とし、突出部２５全体として断面略コ字形状で形成されている。さらに、突出縦片２５２には、壁パネル連結孔５１３及び天井パネル連結孔６１２に対応する部位に、照明器具固着孔が複数箇所に穿設されている。
【００２４】
照明器具１の前面部２１に形成された照射開口２６は、略矩形状の開口であり、照明器具本体２の左右方向の略全長に亘って形成されている。この照射開口２６を照明器具本体２内部から覆うようにして透過性を有する化粧板３が着脱自在に設けられており、本実施形態における化粧板３は、アクリルによって形成されている。
【００２５】
発光部４は、上述の通り蛍光灯から構成されており、この蛍光灯は浴室外に設置されているＯＮ／ＯＦＦスイッチによって、点灯又は消灯を行なうことができるように構成されている。
【００２６】
ここで、ユニットバスルームを組み立てるに際しては、通常、ユニットバスルームの天井を構成する天井パネル６の天井パネル連結片６１１と、壁パネル５の壁パネル連結片５１２とを重ねた上で（なお、本実施形態では壁パネル連結片５１２が天井パネル連結片６１１の前面に位置しているが、天井パネル連結片６１１が前面に位置していてもよい）、ユニットバスルーム内部からタッピングねじやボルトなどの固着具８を、壁パネル連結孔５１３と天井パネル連結孔６１２に挿通して、天井パネル連結片６１１と壁パネル連結片５１２とを連結して組み立てている。本実施形態の照明器具１は、この天井パネル連結片６１１と壁パネル連結片５１２とを連結する際に、これらと共にユニットバスルームに対して一体に固着するものである。以下詳述する。
【００２７】
本実施形態の天井パネル６と壁パネル５とを所定の位置に配設すると、図２に示すように、壁パネル５と天井パネル６との成すコーナー部に、奥部に向けて凹む凹所９が形成されるようになる。この凹所９は、壁パネル５の横片５１１と、壁パネル連結片５１２（又は天井パネル連結片６１１）と、天井パネル６の下面とで形成されている。この凹所９に照明器具１の照明固定部２４を挿入して、照明固定部２４の背面の突出縦片２５２を、壁パネル連結片５１２の前面に当接又は少なくとも近接対向させた上で、照明器具本体２の内部から固着具８を挿通し、照明器具本体２と壁パネル連結片５１２と天井パネル連結片６１１とを固着一体化するようにする。
【００２８】
このとき、本実施形態の照明器具１は横に長く形成されており、取り付けが困難となるおそれがあるが、本実施形態の照明器具１の照明固定部２４は突出部２５により構成されているため、壁パネル５と天井パネル６との成すコーナー部に形成される凹所９に、この突出部２５を預けた状態で、照明器具１を固着するようにすれば、簡単に上下方向の位置決めをすることができる上に、凹所９の横片５１１によって照明器具１の重量を支持することができて、取り付けを簡単に行なうことが可能となる。
【００２９】
上述のように、天井パネル連結片６１１と壁パネル連結片５１２と共に本発明の照明器具１の照明固定部２４を重ね合わせた上で、これら三者を一体に連結するようにしているため、従来必要であった照明器具１を取り付けるための取り付け具が必要とならず、コストを省くことができ且つ作業工数をも削減することができる。さらに、照明器具１の取り付け具を取り付けなくとも、より強固に照明器具１を固着することができる。しかも、天井パネル６と壁パネル５とで構成されるコーナー部に、本実施形態の照明器具１は一体的に固設するため、ユニットバスルームと照明器具１との一体感を増すことができる。つまり、照明器具１を取り付けた場合であっても、入浴者にこの照明器具１をユニットバスルームの壁面又は天井面の一部として認識させることができる。この結果、照明器具１を取り付けたことによる浴室内の見た目の低下を防止することができる。
【００３０】
また、本実施形態の照明器具１は、壁パネル５の並設方向において、壁パネル５及び天井パネル６の複数の各パネル５，６に跨って固着しているため、壁パネル５同士の相互の連結あるいは天井パネル６同士の相互の連結を、本実施形態の照明器具１を介して行なうことができる。つまり、天井パネル６同士あるいは壁パネル５同士の照明器具１近傍の連結を行なわなくても、この照明器具１によって天井パネル６同士あるいは壁パネル５同士の連結を強固に行なうことができる。
【００３１】
そして、このような照明器具１を配設したユニットバスルームにおいては、天井の周縁に形成される凹所９のうち、照明器具１を配設した辺以外の辺には、この凹所９を埋めるようにして天井縁材（図示せず）が設けられる。すなわち、上面視矩形状のユニットバスルームの上部四辺に形成される凹所９のうち、いずれか一辺に上記照明器具１が設置され、その他の三辺はこの天井縁材によって壁パネル５と天井パネル６との成すコーナー部の仕舞いがなされている。
【００３２】
なお、上記実施形態は、天井パネル連結片６１１と壁パネル連結片５１２と共に、照明器具１の照明固定部２４を重ね合わせた上で、これら三者を一体に連結するようにして、ユニットバスルームを組み立てたが、天井パネル連結片６１１と壁パネル連結片５１２とを固着具を用いて連結した上で、その凹所９に照明器具１の照明固定部２４を配設するようにしてももちろんよい。
【００３３】
次に、他の実施形態について図３に基づいて説明する。なお、本実施形態は図１乃至図３に示す実施形態と大部分において同じであるため、同じ部分においては同符号を付して説明を省略し、主に異なる部分について説明する。
【００３４】
本実施形態の照明器具１は、上記実施形態における上面部２３を設けない点で上記実施形態の照明器具１とは異なっている。すなわち、図４に示すように、本実施形態の照明器具１は、前面部２１と背面部２２とを連設して構成してあり、この背面部２２の上部には上記実施形態のように突出部２５が設けられている。
【００３５】
なお、本実施形態においては、照射開口２６をこの前面部２１の一部に設けるのではなく、前面部２１の上端と天井パネル６とを離間するようにして構成し、この前面部２１の上端と天井パネル６との間に生じる隙間から、発光部４による光が照射されるようになっている。
【００３６】
このように構成した本実施形態の照明器具１を壁パネル５と天井パネル６との成すコーナー部に形成される凹所９に配設し、発光部４から光を発した場合には、直接発光部４からの光が入浴者の目に飛び込むのを防止でき、いわゆる間接照明によってユニットバスルーム内を照らすことができるようになる。
【００３７】
そのため、本実施形態の照明器具１は、シンプル且つスタイリッシュな形状の照明器具１とすることができて、ユニットバスルーム内の外観を向上させることができ、その上、照明器具１の照明効果による演出性を向上させることができる。しかも、天井パネル６の色彩を高い反射率を有する白色等で形成すれば、より光の拡散性を高めることができ、照明の効率を上げることができる。この結果、省電力、省エネルギーを実現することも可能である。
【００３８】
ところで上記実施形態においても、壁パネル５と天井パネル６との成すコーナー部に形成される上記凹所９には、この凹所９を埋めるようにして天井縁材（図示せず）が設けられる。
【００３９】
この点、ユニットバスルームの上部に形成される凹所９の四辺全周に天井縁材を配設した既設のユニットバスルームにおいて、既設の天井縁材の四辺全周のうち、いずれか一辺の天井縁材を除去し、この除去することで現出した凹所９に（詳しくは、壁パネル連結部５１又は天井パネル連結部６１に）新たに照明器具１の照明固定部２４を固着するようにしてもよい。
【００４０】
さらに上記とは異なり、ユニットバスルームの上部に形成される凹所９の四辺全周に天井縁材を配設した既設のユニットバスルームにおいて、この天井縁材を介して本発明の照明器具１を設置してもよい。すなわち、照明器具本体２の形状を前面部２１と背面部２２と上面部２３とで構成される断面三角形の形状とし、突出部２５を設けないようにして背面部２２の上部に照明固定部２４を形成して照明器具１を構成する。そうすれば、照明固定部２４を、天井縁材、壁パネル連結部５１、及び天井パネル連結部６１と共に重ね合わせて、固着具８によりこれらを一体的に固設すれば、照明器具１をより強固に固着することができる。なお、この場合、天井パネル連結部６１及び壁パネル連結部５１の連結孔５１３，６１２を利用してもよいし、照明器具１を固着するための孔を、天井縁材、壁パネル連結部５１、及び天井パネル連結部６１に工具を用いて新たに穿設するようにしてももちろんよい。
【符号の説明】
【００４１】
１      照明器具
２      照明器具本体
２１    前面部
２２    背面部
２３    上面部
２４    照明固定部
２５    突出部
２５１  突出横片
２５２  突出縦片
２６    照射開口
３      化粧板
４      発光部
５      壁パネル
５１    壁パネル連結部
５１１  横片
５１２  壁パネル連結片
５１３  壁パネル連結孔
６      天井パネル
６１    天井パネル連結部
６１１  天井パネル連結片
６１２  天井パネル連結孔
【図１】
2010198882.tif 000003
【図２】
2010198882.tif 000004
【図３】
2010198882.tif 000005
【図４】
2010198882.tif 000006